(57)【要約】【課題】  モノラルからステレオへの復帰時間を簡易な構成によって適切に調整することによって、コストを削減しつつ、違和感が少なくかつ聴取品位の良好な音声を聴取することができる受信装置および受信方法を提供すること。【解決手段】  モノラルからステレオへの復帰時間を調整する調整回路１２を有し、当該調整回路１２が、マルチパスノイズ検出回路１０の検出信号に時定数を付加する複数の時定数付加回路１３，１４と、これら時定数付加回路１３，１４によって時定数が付加された複数の信号の中から最もマルチパスノイズの検出量の増加側の値をとる信号を選択して調整信号として出力する調整信号出力回路１５とを備えたこと。【選択図】      図１
2006121295.tif 000002
【特許請求の範囲】
【請求項１】
受信信号に混入されたマルチパスノイズを検出するマルチパスノイズ検出回路を有し、前記マルチパスノイズ検出回路による検出結果に基づいてステレオの分離度を制御可能とされた受信装置であって、
前記ステレオの分離度の制御の際にモノラルからステレオへの復帰時間を調整する調整回路を有し、かつ、当該調整回路は、
前記マルチパスノイズ検出回路の検出信号に時定数を付加する複数の時定数付加回路と、
これら複数の時定数付加回路によって時定数が付加された複数の信号の中から最もマルチパスノイズの検出量の増加側の値をとる信号を選択し、この選択した信号を前記復帰時間を調整するための調整信号として出力する調整信号出力回路と
を備え、前記調整信号出力回路から出力された調整信号に相当する時定数にしたがって前記モノラルからステレオへの復帰時間を調整すること
を特徴とする受信装置。
【請求項２】
受信信号に混入されたマルチパスノイズを検出し、このマルチパスノイズの検出結果に基づいてステレオの分離度を制御する受信方法であって、
マルチパスノイズの検出信号に複数の時定数を個別に付加し、
これら複数の時定数が個別に付加されてなる複数の信号の中から最もマルチパスノイズの検出量の増加側の値をとる信号を選択し、この選択した信号をモノラルからステレオへの復帰時間を調整する調整信号として出力し、
この出力した調整信号に相当する時定数にしたがって前記モノラルからステレオへの復帰時間を調整すること
を特徴とする受信方法。
【発明の詳細な説明】
【技術分野】
【０００１】
本発明は、受信装置および受信方法に係り、特に、ＦＭ受信時にマルチパスノイズを検出した場合において、音域（特にＬ−Ｒ領域）を復調する際に発生する歪みを低減するのに好適な受信装置および受信方法に関する。
【背景技術】
【０００２】
従来から、ＦＭステレオ受信においては、送信アンテナから受信アンテナまでの経路が異なる電波を受信アンテナで同時に受信することによって発生するマルチパスノイズにより、当該受信した電波を元に形成されるステレオ・コンポジット信号におけるＬ−Ｒ領域を復調する際に歪みが発生することが問題となっていた。
【０００３】
そこで、このような歪みを低減するために、従来から、マルチパスノイズを検出した場合には、ステレオによる復調からモノラルによる復調に切換えて分離度を低減することが行われていた。
【０００４】
また、その場合には、マルチパスノイズが検出されなくなったら、モノラルによる復調からステレオによる復調に復帰させるようになっていた。
【０００５】
さらに、従来は、前述のようにステレオとモノラルとの切り替えを行うにあたり、マルチパスノイズが頻繁に検出される場合におけるステレオとモノラルとの頻繁な切換えによって聴取者に音の違和感を与えることを防止するために、モノラルからステレオへの復帰の際に、ある程度の時定数を設定するようになっていた。
【０００６】
これにより、例えば、移動体受信装置のようにマルチパスノイズが頻繁に検出される受信装置においては、モノラルからステレオへの復帰を時定数分の時間をかけて行うことによって違和感の少ない復調が可能とされていた。
【０００７】
しかしながら、モノラルからステレオへの復帰の際に時定数を設定することは、連続した高頻度のマルチパスノイズに対しては有効に作用するものの、単発のマルチパスノイズのように低頻度のマルチパスノイズが検出された場合に、同様の長さの時定数を設定すると、モノラルによる復調の時間が長くなり、却って聴取品位が落ちる結果となっていた。
【０００８】
そこで、このような問題に有効に対処すべく、これまでにも、モノラルからステレオへの復帰の際の時定数を、マルチパスノイズの発生頻度に応じて切換えるための発明（例えば、特許文献１、２、３参照）が提案されていた。
【０００９】
【特許文献１】特許第２９８３６０９号公報
【特許文献２】特開平９−１８６６６６号公報
【特許文献３】特開２００４−１２９１６２号公報
【発明の開示】
【発明が解決しようとする課題】
【００１０】
然るに、前述のように、マルチパスノイズの発生頻度に応じてモノラルからステレオへの復帰の時定数を切換える場合、マルチパスノイズの発生頻度を計数するためのカウンタや、時定数を切換えるための切換手段等の回路要素が必要となり、構成が複雑になるといった問題が生じてしまう。
【００１１】
そこで、本発明は、このような問題に鑑みなされたものであり、モノラルからステレオへの復帰時間を簡易な構成によって適切に調整することによって、コストを削減しつつ、違和感が少なくかつ聴取品位が良好な音声を復調することができる受信装置および受信方法を提供することを目的とするものである。
【課題を解決するための手段】
【００１２】
前述した目的を達成するため、本発明に係る受信装置の特徴は、受信信号に混入されたマルチパスノイズを検出するマルチパスノイズ検出回路を有し、前記マルチパスノイズ検出回路による検出結果に基づいてステレオの分離度を制御可能とされた受信装置であって、前記ステレオの分離度の制御の際にモノラルからステレオへの復帰時間を調整する調整回路を有し、かつ、当該調整回路は、前記マルチパスノイズ検出回路の検出信号に時定数を付加する複数の時定数付加回路と、これら複数の時定数付加回路によって時定数が付加された複数の信号の中から最もマルチパスノイズの検出量の増加側の値をとる信号を選択し、この選択した信号を前記復帰時間を調整するための調整信号として出力する調整信号出力回路とを備え、前記調整信号出力回路から出力された調整信号に相当する時定数にしたがって前記モノラルからステレオへの復帰時間を調整する点にある。
【００１３】
そして、このような構成によれば、複数の時定数付加回路によって、マルチパスノイズの検出信号に時定数を付加し、調整信号出力回路によって、時定数が付加された複数の信号の中から最もマルチパスノイズの検出量の増加側の値をとる信号を選択して調整信号として出力し、出力された調整信号に相当する時定数にしたがってモノラルからステレオへの復帰時間を調整することが可能となる。
【００１４】
また、本発明に係る受信方法の特徴は、受信信号に混入されたマルチパスノイズを検出し、このマルチパスノイズの検出結果に基づいてステレオの分離度を制御する受信方法であって、マルチパスノイズの検出信号に複数の時定数を個別に付加し、これら複数の時定数が個別に付加されてなる複数の信号の中から最もマルチパスノイズの検出量の増加側の値をとる信号を選択し、この選択した信号を、モノラルからステレオへの復帰時間を調整する調整信号として出力し、この出力した調整信号に相当する時定数にしたがって前記モノラルからステレオへの復帰時間を調整する点にある。
【００１５】
そして、このような方法によれば、時定数が付加された複数の信号の中から最もマルチパスノイズの検出量の増加側の値をとる信号を調整信号として選択して出力し、出力された調整信号に相当する時定数にしたがってモノラルからステレオへの復帰時間を調整することが可能となる。
【発明の効果】
【００１６】
本発明に係る受信装置によれば、複数の時定数付加回路によって、マルチパスノイズの検出信号に時定数を付加し、調整信号出力回路によって、時定数が付加された複数の信号の中から最もマルチパスノイズの検出量の増加側の値をとる信号を選択して調整信号として出力し、出力された調整信号に相当する時定数にしたがってモノラルからステレオへの復帰時間を調整することができる結果、モノラルからステレオへの復帰時間を簡易な構成によって適切に調整することによって、コストを削減しつつ、違和感が少なくかつ聴取品位が良好な音声を復調することができる。
【００１７】
本発明に係る受信方法によれば、時定数が付加された複数の信号の中から最もマルチパスノイズの検出量の増加側の値をとる信号を調整信号として選択して出力し、出力された調整信号に相当する時定数にしたがってモノラルからステレオへの復帰時間を調整することができる結果、モノラルからステレオへの復帰時間を簡便な方法によって適切に調整することによって、コストを削減しつつ、違和感が少なくかつ聴取品位が良好な音声を復調することができる。
【発明を実施するための最良の形態】
【００１８】
以下、本発明に係る受信装置について、図１乃至図５を参照して説明する。
【００１９】
図１に示すように、本実施形態における受信装置１は、受信アンテナ２を有しており、この受信アンテナ２により、図示しない送信アンテナからのＦＭの送信信号が受信されるようになっている。
【００２０】
受信アンテナ２の出力側には、同調回路３が接続されており、この同調回路３において、受信すべき所望の周波数付近の信号成分が強調されて出力されるようになっている。
【００２１】
また、受信装置１は、局部発振回路４を有しており、この局部発振回路４から出力される局部発振信号と同調回路３からの出力信号とが混合されることによって、中間周波数信号が生成されるようになっている。
【００２２】
同調回路３および局部発振回路４の出力側には、中間周波数増幅回路５が接続されており、この中間周波数増幅回路５には、前記中間周波数信号が入力されるようになっている。
【００２３】
中間周波数増幅回路５は、入力された中間周波数信号を増幅して出力するようになっている。
【００２４】
中間周波数増幅回路５の出力側には、ＦＭ検波回路７が接続されており、このＦＭ検波回路７には、中間周波数増幅回路５から出力された信号が入力されるようになっている。
【００２５】
そして、ＦＭ検波回路７は、入力された信号から音声信号（Ｌ＋Ｒ信号およびＬ−Ｒ信号を含んだステレオ・コンポジット信号）だけを取り出して出力するようになっている。
【００２６】
ＦＭ検波回路７の出力側には、ＦＭ検波回路７によって検波された音声信号におけるＬ＋Ｒ信号とＬ−Ｒ信号との混合量を制御するブレンド制御回路８が接続されており、このブレンド制御回路８には、ＦＭ検波回路７から出力された音声信号が入力されるようになっている。
【００２７】
そして、ブレンド制御回路８は、入力された音声信号を分離度（セパレーション量）に応じて左右各チャンネルの音声信号に分離した後に出力するようになっている。
【００２８】
ブレンド制御回路８の出力側には、Ｌ／Ｒ信号出力回路９が接続されており、このＬ／Ｒ信号出力回路９には、ブレンド制御回路８から出力された左右各チャンネルの音声信号が入力されるようになっている。
【００２９】
そして、Ｌ／Ｒ信号出力回路９は、入力された左右各チャンネルの音声信号を適正なレベルで出力するようになっている。
【００３０】
また、受信装置１は、ＦＭ検波回路７の出力側に、マルチパスノイズ検出回路１０を有しており、このマルチパスノイズ検出回路１０は、ＦＭ検波回路７によって取り出された音声信号におけるＳメータ成分等に基づいて、マルチパスノイズを検出し、検出結果を検出信号として出力するようになっている。
【００３１】
そして、本実施形態においては、マルチパスノイズ検出回路１０の検出結果に基づいてステレオの分離度を制御するようになっている。さらに、この分離度の制御に際して、モノラルからステレオへの復帰時間を調整するようになっている。
【００３２】
すなわち、本実施形態における受信装置１は、マルチパスノイズ検出回路１０の出力側であって、ブレンド制御回路８の入力側に、モノラルによる復調からステレオによる復調への復帰時間を調整する調整回路１２を有している。
【００３３】
この調整回路１２は、マルチパスノイズ検出回路１０の出力側に、互いに並列に接続された第１時定数付加回路１３と第２時定数回路１４との２個の時定数付加回路１３，１４を有しており、これら第１および第２時定数付加回路１３，１４には、マルチパスノイズ検出回路１０から出力された検出信号が入力されるようになっている。
【００３４】
第１時定数付加回路１３は、図２の上図に示すように高頻度のマルチパスノイズが検出された場合には、図２の下図における実線に示すように、また、図３の上図に示すように低頻度のマルチパスノイズが検出された場合には、図３の下図における実線に示すように、検出信号に対して、例えば立下げ／復帰の比率が１０ｍｓｅｃ／１０ｍｓｅｃの特性の時定数を付加するようになっている。
【００３５】
そして、第１時定数付加回路１３は、時定数を付加した信号を出力するようになっている。
【００３６】
また、第２時定数付加回路１４は、図２の上図に示すように高頻度のマルチパスノイズが検出された場合には、図２の下図における破線に示すように、また、図３の上図に示すように低頻度のマルチパスノイズが検出された場合には、図３の下図における破線に示すように、検出信号に対して、例えば立下げ／復帰の比率が２００ｍｓｅｃ／５ｓｅｃの特性の時定数を付加するようになっている。
【００３７】
そして、第２時定数付加回路１４は、時定数を付加した信号を出力するようになっている。
【００３８】
なお、時定数付加回路１３，１４の個数は、本実施形態のように２個に限る必要はなく、３個以上であってもよい。
【００３９】
さらに、調整回路１２は、第１および第２時定数付加回路１３，１４の出力側に、調整信号出力回路１５を有しており、この調整信号出力回路１５には、第１時定数付加回路１３から出力された信号と、第２時定数付加回路１４から出力された信号とが入力されるようになっている。
【００４０】
そして、調整信号出力回路１５は、第１および第２時定数付加回路１３，１４から入力された時定数が付加された２つの信号の中からマルチパスノイズの検出量の増加側の値をとる信号、換言すれば前記２つの信号の中から分離度が低い側（モノラル側）の値をとる信号を選択し、選択した信号を調整信号として出力するようになっている。
【００４１】
具体的な例としては、高頻度のマルチパスノイズが検出された場合には、図２の下図に対応する調整信号として、図４の下図における実線に示すような調整信号が出力される。
【００４２】
また、低頻度のマルチパスノイズが検出された場合には、図３の下図に対応する調整信号として、図５の下図における実線に示すような調整信号が出力される。
【００４３】
なお、図４および図５においては、前記時定数が付加された２つの信号のうち、任意の時刻において電圧値の低い方の信号がマルチパスノイズの検出量の増加側の信号として選択されている（ボトムホールド）。しかし、これに限らず、前記時定数が付加された２つの信号のうち、任意の時刻において電圧値の高い方の信号をマルチパスノイズの検出量の増加側の信号として選択するようにしてもよい（ピークホールド）。
【００４４】
また、時定数付加回路を３個以上設ける場合には、各時定数付加回路によって時定数が付加された信号の中から最もマルチパスノイズの検出量の増加側の値をとる信号が調整信号として選択されることになる。
【００４５】
調整信号出力回路１５の出力側には、前述したブレンド制御回路８が接続されており、このブレンド制御回路８に調整信号出力回路１５から出力された調整信号が入力されるようになっている。
【００４６】
そして、ブレンド制御回路８は、入力された調整信号に基づいて、ステレオの分離度を制御するようになっている。
【００４７】
したがって、マルチパスノイズの検出が高頻度になされる場合には、図４に示すように、ステレオ−モノラル間の変動を抑えつつ従来（図４の下図における破線部）と比べてステレオ領域を十分に確保することができるようになっている。
【００４８】
逆に、マルチパスノイズの検出が低頻度の場合には、図５に示すように、従来（図５の下図における破線部）と比べて不要なモノラル領域を小さくして聴取品位を向上させることができるようになっている。
【００４９】
次に、本発明に係る受信方法の実施形態について説明する。
【００５０】
なお、本実施形態における受信方法は、前述した受信装置を用いて実行することができる。
【００５１】
すなわち、本実施形態においては、送信アンテナからの送信信号を受信アンテナ２によって受信した後、同調回路３によって受信すべき所望の信号成分のみを強調させた後に出力し、続いて、出力した信号を局部発振回路４から出力された局部発振信号と混合させて中間周波数信号にする。
【００５２】
そして、この中間周波数信号を中間周波数増幅回路５に入力するとともに、この中間周波数増幅回路５において中間周波数信号を増幅した後にＦＭ検波回路７に出力する。
【００５３】
次いで、ＦＭ検波回路７において、中間周波数増幅回路５から出力された信号から音声信号を取り出してブレンド制御部８およびマルチパスノイズ検出回路１０にそれぞれ出力する。
【００５４】
次いで、マルチパスノイズ検出回路１０によって、例えば音声信号におけるＳメータ成分から、マルチパスノイズを検出し、検出結果を検出信号として第１時定数付加回路１３および第２時定数付加回路１４にそれぞれ出力する。
【００５５】
そして、第１時定数付加回路１３により、マルチパスノイズ検出部１０から出力された検出信号に対して、図２の下図における実線および図３の下図における実線に示すような特性の時定数を付加するとともに、この時定数を付加した信号を調整信号出力回路１５に出力する。
【００５６】
また、このとき、第２時定数付加回路１４により、マルチパスノイズ検出部１０から出力された検出信号に対して図２の下図における破線および図３の下図における破線に示すような特性の時定数を付加するとともに、この時定数を付加した信号を調整信号出力回路１５に出力する。
【００５７】
次いで、調整信号出力回路１５により、第１および第２時定数付加回路１３，１４から出力された時定数が付加された２つの信号の中からマルチパスノイズの検出量の増加側の値をとる信号を選択し、選択した信号を調整信号としてブレンド制御回路８に出力する。
【００５８】
そして、ブレンド制御回路８は、調整信号出力回路１５から出力された調整信号に基づいて、音声信号の分離度を制御しつつ、ＦＭ検波回路７から出力された音声信号を左右に分離してＬ／Ｒ信号出力回路９に出力する。
【００５９】
最後に、Ｌ／Ｒ信号出力回路９によって左右の各音声信号を適正なレベルで音声出力する。
【００６０】
このとき、調整回路１２によってモノラルからステレオへの復帰時間が好適な値に調整されていることによって、マルチパスノイズによる影響が低減された違和感の少ない高品質の音声を出力することができる。
【００６１】
したがって、本実施形態によれば、第１時定数付加回路１３、第２時定数付加回路１４および調整信号出力回路１５からなる簡易な構成によって、モノラルからステレオへの復帰時間を適切に調整して、コストを削減しつつ、違和感が少なくかつ聴取品位の良好な音声を聴取することができる。
【００６２】
なお、本発明は、前述した実施の形態に限定されるものではなく、必要に応じて種々の変更が可能である。
【００６３】
例えば、前記実施形態において、第１時定数付加回路１３、第２時定数付加回路１４へ出力される検出信号は一種類であるが、これに限る必要はなく、例えば、各時定数付加回路に固有のマルチパスノイズ検出回路を備え、各マルチパスノイズ検出回路の検出感度を個別に設定するようにしてもよい。
【図面の簡単な説明】
【００６４】
【図１】本発明に係る受信装置の実施形態を示すブロック図
【図２】本発明に係る受信装置および受信方法の実施形態において、高頻度のマルチパスノイズの検出状態およびその際に第１ならびに第２時定数付加回路によって付加される時定数の特性を示すグラフ
【図３】本発明に係る受信装置および受信方法の実施形態において、低頻度のマルチパスノイズの検出状態およびその際に第１ならびに第２時定数付加回路によって付加される時定数の特性を示すグラフ
【図４】図２に対応する調整信号を示すグラフ
【図５】図３に対応する調整信号を示すグラフ
【符号の説明】
【００６５】
１  受信装置
１０  マルチパスノイズ検出回路
１２  調整回路
１３  第１時定数付加回路
１４  第２時定数付加回路
１５  調整信号出力回路
【図１】
2006121295.tif 000003
【図２】
2006121295.tif 000004
【図３】
2006121295.tif 000005
【図４】
2006121295.tif 000006
【図５】
2006121295.tif 000007